(57)【要約】      （修正有）【課題】ドアの下端と床面との隙間の広範囲の寸法に対応できるコンパクトなドアストッパーを提供する。【解決手段】床面１に接する第一面１１と、この第一面１１に対し傾斜すると共に、ドアＤの下端が接する第二面１２を有するくさび状の本体Ａ’を備えたドアストッパー１０は、第二面１２の先端部Ｘと第一面１１が接する床面１との距離はｈ1であり、第二面１２の後端部Ｙと第一面１１が接する床面１との距離はｈ2（ｈ1＜ｈ2）であり、第二面１２の先端部Ｘの幅ｗ1であり、第二面１２の後端部Ｙの幅ｗ2（ｗ1＜ｗ2）であり、本体Ａ’に設けられ、第一面１１と第二面１２の側方に位置すると共に、相対向する面は、第三面１３と第四面１４であり、第四面１４の後端部Ｎと第三面１３が接する床面１との距離はＨ2（Ｈ1＜Ｈ2）であり、第四面１４の先端部Ｍの幅Ｗ1であり、第四面１４の後端部Ｎの幅Ｗ2（Ｗ1＜Ｗ2）であり、ｈ1＜Ｈ1≦ｈ2 ＜Ｈ2の関係である。【選択図】図４
2008115573.tif 000002
【特許請求の範囲】
【請求項１】
床面に接する第一面と、この第一面に対し傾斜すると共に、ドアの下端が接する第二面を有するくさび状の本体を備えたドアストッパーであって、   
前記第二面の傾斜は先端部から後端部に向かって上り勾配を形成すると共に、前記第二面の先端部と前記第一面が接する床面との距離はｈ1であり、前記第二面の後端部と前  記第一面が接する床面との距離はｈ2（ｈ1＜ｈ2）であり、前記第二面の先端部の幅ｗ1であり、前記第二面の後端部の幅ｗ2（ｗ1＜ｗ2）であり、
前記本体に設けられ、前記第一面と前記第二面の側方に位置すると共に、相対向する面は、第三面と第四面であり、
前記第四面は、前記第三面に対し傾斜し、
前記床面に接する面は、前記第一面の他に、前記第三面であり、
前記ドアの下端が接する面は、前記第二面の他に、前記第四面であり、
前記第四面の傾斜は先端部から後端部に向かって上り勾配を形成すると共に、前記第四面の先端部と前記第三面が接する床面との距離はＨ1であり、前記第四面の後端部と前
記第三面が接する床面との距離はＨ2（Ｈ1＜Ｈ2）であり、前記第四面の先端部の幅Ｗ1であり、前記第四面の後端部の幅Ｗ2（Ｗ1＜Ｗ2）であり、
ｈ1＜Ｈ1≦ｈ2 ＜Ｈ2の関係である
ことを特徴とするドアストッパー。
【請求項２】
第一面と第二面とのなす傾斜の角度と第三面と第四面とのなす傾斜の角度とが同じである
ことを特徴とする請求項１記載のドアストッパー。
【請求項３】
第一面の面積は第三面の面積より大であって、
第四面の先端部から後端部に至る距離はＡであり、前記第四面は、前記第四面の先端部から距離ａ（０＜ａ＜Ａ）の位置までに形成された前側部分と、前記距離ａから前記距離Ａの位置までに形成された後側部分とを有し、
前記第四面の前側部分は、前記第四面の後側部分の傾斜面の前記第四面の先端部に向かう延長傾斜面より低く形成され、前記後側部分であって前記第四面の先端部から距離ａの部位と第三面が接する床面との距離はＨ3 であり、
ｈ1＜Ｈ1＜Ｈ3≦ｈ2 ＜Ｈ2の関係である
ことを特徴とする請求項１記載のドアストッパー。
【発明の詳細な説明】
【技術分野】
【０００１】
本発明は、ドアストッパーに係り、特に、ドアの下端と床面との隙間の広範囲の寸法に対応できるコンパクトなドアストッパーに関する。
【背景技術】
【０００２】
従来、例えば、床面に接する第一面と、この第一面に対し傾斜すると共に、ドアの下端が接する第二面を有するくさび状の本体を備えたドアストッパーがある（例えば、特許文献１参照）。
【特許文献１】特許第３５６０３３１号公報（図３）
【発明の開示】
【発明が解決しようとする課題】
【０００３】
このドアストッパーにあっては、低位置状態にあっては、連枢保持機構（３）によって第１分断ドア止め載置体（１）と第２分断ドア止め載置体（２）を直列状態となるようにし、高位置状態にあっては、第２分断ドア止め載置体（２）を昇降移動させて第１分断ドア止め載置体（１）の上に載置し、この状態を連枢保持機構（３）によって保持するようにしている。
しかしながら、このドアストッパーにあっては、ドアの下端が接する面は、何れも、第１ドア止め傾斜上面１ａ、第２ドア止め傾斜上面２ａの傾斜上面の一面のみで、例えば、ドアストッパーの側面をドアの下端が接する面に使用するという着眼も全くなく、第１分断ドア止め載置体（１）、第２分断ドア止め載置体（２）、連枢保持機構（３）と部品点数も多く全体的に嵩張ると共に、連枢保持機構（３）によって保持しなければならず手間を要するという問題点があった。
【０００４】
本発明は、上述した問題点を除去するようにしたドアストッパーを提供することを目的とする。
【課題を解決するための手段】
【０００５】
本発明のドアストッパーは、床面に接する第一面と、この第一面に対し傾斜すると共に、ドアの下端が接する第二面を有するくさび状の本体を備えたドアストッパーであって、前記第二面の傾斜は先端部から後端部に向かって上り勾配を形成すると共に、前記第二面の先端部と前記第一面が接する床面との距離はｈ1であり、前記第二面の後端部と前記
第一面が接する床面との距離はｈ2（ｈ1＜ｈ2）であり、前記第二面の先端部の幅ｗ1であり、前記第二面の後端部の幅ｗ2（ｗ1＜ｗ2）であり、前記本体に設けられ、前記第一面
と前記第二面の側方に位置すると共に、相対向する面は、第三面と第四面であり、前記第四面は、前記第三面に対し傾斜し、前記床面に接する面は、前記第一面の他に、前記第三面であり、前記ドアの下端が接する面は、前記第二面の他に、前記第四面であり、前記第四面の傾斜は先端部から後端部に向かって上り勾配を形成すると共に、前記第四面の先端部と前記第三面が接する床面との距離はＨ1であり、前記第四面の後端部と前  記第三面
が接する床面との距離はＨ2（Ｈ1＜Ｈ2）であり、前記第四面の先端部の幅Ｗ1であり、前記第四面の後端部の幅Ｗ2（Ｗ1＜Ｗ2）であり、ｈ1＜Ｈ1≦ｈ2 ＜Ｈ2の関係である。
【０００６】
また、請求項２記載のドアストッパーは、請求項１記載のドアストッパーにおいて、
第一面と第二面とのなす傾斜の角度と第三面と第四面とのなす傾斜の角度とが同じであ
る。
【０００７】
また、請求項３記載のドアストッパーは、請求項１記載のドアストッパーにおいて、第一面の面積は第三面の面積より大であって、第四面の先端部から後端部に至る距離はＡであり、前記第四面は、前記第四面の先端部から距離ａ（０＜ａ＜Ａ）の位置までに形成された前側部分と、前記距離ａから前記距離Ａの位置までに形成された後側部分とを有し、前記第四面の前側部分は、前記第四面の後側部分の傾斜面の前記第四面の先端部に向かう延長傾斜面より低く形成され、前記後側部分であって前記第四面の先端部から距離ａの部位と第三面が接する床面との距離はＨ3 であり、ｈ1＜Ｈ1＜Ｈ3≦ｈ2 ＜Ｈ2の関係である。
【発明の効果】
【０００８】
請求項１記載のドアストッパーによれば、くさび状の本体に、床面に接する面を第一面の他に第三面を、ドアの下端が接する面を第二面の他に第四面を、それぞれ設け、第二面の先端部と第一面が接する床面との距離をｈ1 、第二面の後端部と第一面が接する床面 との距離をｈ2、第二面の先端部の幅をｗ1、第二面の後端部の幅をｗ2（ｗ1＜ｗ2）、第四面の先端部と第三面が接する床面との距離をＨ1、第四面の後端部と第三面が接する床 面との距離をＨ2、第四面の先端部の幅をＷ1、第四面の後端部の幅をＷ2（Ｗ1＜Ｗ2）と
し、 ｈ1＜Ｈ1≦ｈ2 ＜Ｈ2の関係としているため、ドアの下端と床面との隙間がｈ1 からｈ2までの寸法には、床面に接する面を第一面、ドアの下端が接する面を第二面、ドアの
下端と床面との隙間がｈ2より大きいＨ2までの寸法には、床面に接する面を第三面、ドアの下端が接する面を第四面とすることにより、つまり、ドアの下端と床面との隙間をｈ1 からＨ2までの広範囲の寸法にコンパクトな一つのドアストッパーで、しかも、床面へ設
置する部位を側方の面に替えるという簡易な手段で且つ手間を取らず迅速に対応することができる。
【０００９】
第一面の面積は第三面の面積より大である関係上、床面に接する面を第三面で使用した場合、第四面の先端部から距離ａ（０＜ａ＜Ａ）の位置までの部位にドアの下端が接すると、ドアストッパーの保持が不安定となるが、請求項３記載のドアストッパーによれば、前述した請求項１記載の発明の効果に加え、第四面の前側部分を、第四面の後側部分の傾斜面の第四面の先端部に向かう延長傾斜面より低く形成し、床面に接する面を第三面とし、ｈ1＜Ｈ1＜Ｈ3≦ｈ2 ＜Ｈ2（ｈ1は第二面の先端部と第一面が接する床面との距離、
Ｈ1は第四面の先端部と第三面が接する床面との距離、Ｈ3は後側部分であって第四面の先端部から距離ａの部位と第三面が接する床面との距離、ｈ2は第二面の後端部と第一面が
接する床面との距離、Ｈ2は第四面の後端部と第三面が接する床面との距離）の関係とし
て、床面に接する面を第三面で使用した場合、第四面の先端部から距離ａ（０＜ａ＜Ａ）の位置までの部位にドアの下端が接触しないようにすると共に、かかる場合のドアの下端の接触を第２面として、ドアストッパーの保持の安定化を図っている。
【発明を実施するための最良の形態】
【００１０】
本発明のドアストッパーの一実施例を図面を参照して説明する。
図１〜図８において、１０は、床面１に接する第一面１１と、この第一面１１に対し傾斜（傾斜角は、緩やかな鋭角で、より具体的には、例えば、約１４°である。）すると共に、ドア１の下端が接する第二面１２を有するくさび状の本体（多面体）Ａ’を備えたドアストッパーである。くさび状の本体Ａ’は、例えば、合成樹脂で形成されている。
【００１１】
また、第二面１２の傾斜は、図２〜図４に示すように、先端部Ｘから後端部Ｙに向かって上り勾配を形成すると共に、第二面１２の先端部Ｘと第一面１１が接する床面１との距離はｈ1であり、第二面１２の後端部Ｙと第一面１１が接する床面１との距離はｈ2（ｈ1＜ｈ2）であり、第二面１２の先端部Ｘの幅ｗ1であり、第二面１２の後端部Ｙの幅ｗ2（ｗ1＜ｗ2）となっている。
勿論、上下を逆、つまり、第二面１２を床面１に、第一面１１をドアＤの下端に、それぞれ、接するようにしても良い。
かかる場合、第一面１１の傾斜は、第二面１２の傾斜と同様に、第一面１１の先端部Ｘ’から後端部Ｙ’に向かって上り勾配を形成すると共に、第一面１１の先端部Ｘ’と第二面１２が接する床面１との距離はｈ1であり、第一面１１の後端部Ｙ’と第二面１２が
接する床面１との距離はｈ2（ｈ1＜ｈ2）であり、第一面１１の先端部Ｘ’の幅ｗ1であり、第一面１１の後端部Ｙ’の幅ｗ2（ｗ1＜ｗ2）となっている。
【００１２】
このドアストッパー１０の使用形態は、上記に加えて、本体に設けられた第三面１３と第四面１４をも使用できるようになっている。この第三面１３と第四面１４は、第一面１１と第二面１２の側方に位置すると共に、相対向する面となっている。
第四面１４は、図７に示すように、第三面１３に対し傾斜し、該傾斜の角度は、緩やかな鋭角で、より具体的には、例えば、約１４°である。なお、第一面１１と第二面１２とのなす傾斜の角度と第三面１３と第四面１４とのなす傾斜の角度は異なるように形成しても良いが、望ましくは、第一面１１と第二面１２とのなす傾斜の角度と第三面１３と第四面１４とのなす傾斜の角度は同じが良い。
床面１に接する面は、第一面１１、第二面１２の他に、第三面１３とすることができる。また、ドアＤの下端が接する面は、第二面１２、第一面１１の他に、第四面１４とすることができる。
第四面１４の傾斜は、図５〜図７に示すように、先端部Ｍから後端部Ｎに向かって上り勾配を形成すると共に、第四面１４の先端部Ｍと第三面１３が接する床面１との距離はＨ1であり、第四面１４の後端部Ｎと第三面１３が接する床面１との距離はＨ2（Ｈ1＜Ｈ2）であり、第四面１４の先端部Ｍの幅Ｗ1であり、第四面１４の後端部Ｎの幅Ｗ2（Ｗ1＜Ｗ2）であり、上記ｈ1、Ｈ1、ｈ2 、Ｈ2 は、ｈ1＜Ｈ1≦ｈ2 ＜Ｈ2の関係となっている（図８参照。なお、図８は、図４のドアストッパー１０の使用状態と図７のドアストッパー１０の使用状態を直列状態に並べると共に、ドアストッパー１０の一部を重ねた概略的説明図である。）。
勿論、この使用形態においても、上述の使用形態と同様、上下を逆、つまり、第四
面１４を床面１に、第三面１３をドアＤの下端に、それぞれ、接するようにしても良い。
かかる場合、第三面１３の傾斜は、第四面１４の傾斜と同様に、第三面１３の先端部Ｍ’から後端部Ｎ’に向かって上り勾配を形成すると共に、第三面１３の先端部Ｍ’と第四面１４が接する床面１との距離はＨ1であり、第三面１３の後端部Ｎ’と第四面１４が
接する床面１との距離はＨ2（Ｈ1＜Ｈ2）であり、第三面１３の先端部Ｍ’の幅Ｗ1であり、第三面１３の後端部Ｎ’の幅Ｗ2（Ｗ1＜Ｗ2）となっている。
【００１３】
従って、この実施例のドアストッパー１０によれば、くさび状の本体Ａ’に、床面１に接する面を第一面１１（図４参照）の他に第三面１３（図７参照）を、ドアＤの下端が接する面を第二面１２（図４参照）の他に第四面１４（図７参照）を、それぞれ設け、第二面１２の先端部Ｘと第一面１１が接する床面１との距離をｈ1 、第二面１２の後端部Ｙ  と第一面１１が接する床面１との距離をｈ2、第二面１２の先端部Ｘの幅をｗ1、第二面１２の後端部Ｙの幅をｗ2（ｗ1＜ｗ2）、第四面１４の先端部Ｍと第三面１３が接する床面１との距離をＨ1、第四面１４の後端部Ｎと第三面１３が接する床面１との距離をＨ2、第四面１４の先端部Ｍの幅をＷ1、第四面１４の後端部Ｎの幅をＷ2（Ｗ1＜Ｗ2）とし、 ｈ1＜Ｈ1≦ｈ2 ＜Ｈ2の関係としているため（図８参照）、ドアＤの下端と床面１との隙間がｈ1 からｈ2までの寸法には、床面１に接する面を第一面１１、ドアＤの下端が接する面を  第二面１２、ドアＤの下端と床面１との隙間がｈ2より大きいＨ2までの寸法には、床面１に接する面を第三面１３、ドアＤの下端が接する面を第四面１４とすることにより、つまり、ドアＤの下端と床面１との隙間をｈ1 からＨ2までの広範囲の寸法にコンパクトな一  つのドアストッパー１０で、しかも、床面１へ設置する部位を側方の面（第一面１１から第三面１３、第三面１３から第一面１１）に替えるという簡易な手段で且つ手間を取らず迅速に対応することができる。
即ち、これを従来のようなドアストッパーで対応しようとすれば、図８に示す床面１に接する面を第一面１１のドアストッパー１０と、床面１に接する面を第三面１３のドアストッパー１０を一部重ねた長手方向に長い形状の一体形状のドアストッパーが必要となるが、本発明のドアストッパー１０によれば、図２又は図５に示す１個のコンパクトなドアストッパー１０で対応することができる。
【００１４】
なお、図５〜図７に示すように、第四面１４の先端部Ｍから後端部Ｎに至る距離はＡであり、第四面１４は、第四面１４の先端部Ｍから距離ａ（０＜ａ＜Ａ）の位置までに形成された前側部分１４’と、距離ａから距離Ａの位置までに形成された後側部分１４”とを有し、第四面１４の前側部分１４’は、第四面１４の後側部分１４”の傾斜面の第四面１４の先端部Ｍに向かう延長傾斜面１４”’より低く形成され、第四面１４の先端部Ｍから距離ａの部位と第三面１３が接する床面１との距離はＨ3 で、Ｈ3≦ ｈ2となっている
（図７及び図８参照）。
これは、床面１に接する第一面１１の面積は第三面１３の面積より大、つまり、床面１に接する第三面１３の面積は第一面１１の面積より小で、床面１に接する面を第三面１３で使用した場合、第四面１４の先端部から距離ａ（０＜ａ＜Ａ）の位置までの部位にドアＤの下端が接すると、ドアストッパー１０の保持が不安定となる。これを避け、接触しないようにすると共に、かかる場合、第四面１４の前側部分１４’を、第四面１４の後側部分１４”の傾斜面の第四面１４の先端部Ｍに向かう延長傾斜面１４”’より低く形成し、床面１に接する面を第三面１３とし、ｈ1＜Ｈ1＜Ｈ3≦ｈ2 ＜Ｈ2（ｈ1は第二面１２の先端部Ｘと第一面１１が接する床面１との距離、Ｈ1は第四面１４の先端部Ｍと第三
面１３が接する床面１との距離、Ｈ3は後側部分１４”であって第四面１４の先端部Ｍか
ら距離ａの部位と第三面１３が接する床面１との距離、ｈ2は第二面１２の後端部Ｙと第
一面１１が接する床面１との距離、Ｈ2は第四面１４の後端部Ｎと第三面１３が接する床
面１との距離）となっている。この場合、ドアＤの下端の接触を第２面１２として、ドアストッパー１０の保持の安定化を図っている。
なお、上述したように、第四面１４を床面１に、第三面１３をドアＤの下端に、それぞれ、接するようにした場合、第三面１３も第四面１４と同様、第三面１３の先端部Ｍ’から後端部Ｎ’に至る距離はＡであり、第三面１３は、第三面１３の先端部Ｍ’から距離ａ（０＜ａ＜Ａ）の位置までに形成された前側部分１３’と、距離ａから距離Ａの位置までに形成された後側部分１３”とを有し、第三面１３の前側部分１３’は、第三面１３の後側部分１３”の傾斜面の第三面１３の先端部Ｍ’に向かう延長傾斜面１３”’より低く形成され、後側部分１３”であって第三面１３の先端部Ｍ’から距離ａの部位と第四面１４が接する床面１との距離はＨ3 で、ｈ1＜Ｈ1＜Ｈ3≦ｈ2 ＜Ｈ2となっている。
【図面の簡単な説明】
【００１５】
【図１】図１は、本発明の一実施例のドアストッパーの使用状態の概略的斜視図である。
【図２】図２は、図１のドアストッパーの概略的斜視図である。
【図３】図３は、図２のドアストッパーの概略的側面図である。
【図４】図４は、図１の概略的断面図である。
【図５】図５は、図２のドアストッパーの床面に接する面を第一面に替えて第三面とした場合の概略的斜視図である。
【図６】図６は、図５のドアストッパーの概略的側面図である。
【図７】図７は、図５のドアストッパーの使用状態の概略的断面図である。
【図８】図８は、図４のドアストッパーの使用状態と図７のドアストッパーの使用状態を直列状態に並べると共に、一部を重ねて該ドアストッパーの利点を説明するための概略的説明図である。
【符号の説明】
【００１６】
１    床面
Ａ’  本体
Ｄ    ドア
Ｍ    第四面の先端部
Ｎ    第四面の後端部
Ｘ    第二面の先端部
Ｙ    第二面の後端部
１０    ドアストッパー
１１    第一面
１２    第二面
１３    第三面
１４    第四面
【図１】
2008115573.tif 000003
【図２】
2008115573.tif 000004
【図３】
2008115573.tif 000005
【図４】
2008115573.tif 000006
【図５】
2008115573.tif 000007
【図６】
2008115573.tif 000008
【図７】
2008115573.tif 000009
【図８】
2008115573.tif 000010